(57)【特許請求の範囲】
【請求項１】
浴槽と、前記浴槽の水を濾過する濾材間の間隙径の大きい第一濾過手段と、前記第一濾過手段で濾過した浴槽の水を濾過する濾材間の間隙径の小さい第二濾過手段と、前記浴槽の水を前記第一濾過手段と第二濾過手段に送り、浴槽に戻す循環手段と、前記循環手段と前記浴槽の間に配管された循環回路とを有し、前記第一濾過手段を通らないバイパス手段と、前記浴槽内への入浴を検知する入浴検知手段と、前記入浴検知手段の信号により入浴から所定時間は第一濾過手段と第二濾過手段により前記浴槽の水の濾過を行い、前記所定時間経過後は前記バイパス手段により第二濾過手段による前記浴槽の水の濾過を行う濾過制御手段を備えた水浄化装置。
【請求項２】
循環手段による浴槽の水の循環流量を可変する循環流量可変手段と、入浴検知手段の信号に基づいて所定時間、前記浴槽の水の循環流量を大流量とした後、前記浴槽の水の循環流量を小流量に前記循環流量可変手段を制御する循環流量制御手段を備えた請求項１記載の水浄化装置。
【請求項３】
浴槽の水を懸濁するかまたは乳濁する分散物質を凝集する凝集手段と、前記浴槽の水を循環させる循環手段と、前記循環手段と前記浴槽の間に配管された循環回路と、前記浴槽内への入浴を検知する入浴検知手段と、前記循環手段による前記浴槽水の循環流量を可変する循環流量可変手段とからなり、前記入浴検知手段の信号に基づいて所定時間、前記浴槽の水の循環流量を大流量とした後、前記浴槽の水の循環流量を小流量にすると共に前記凝集手段を動作させる凝集制御手段を備えた請求項２記載の水浄化装置。
【請求項４】
浴槽の水のなかの細菌を殺菌する殺菌手段と、前記浴槽の水を循環させる循環手段と、前記循環手段と前記浴槽の間に配管された循環回路と、前記浴槽内への入浴を検知する入浴検知手段と、前記循環手段による前記浴槽の水の循環流量を可変する循環流量可変手段とからなり、前記入浴検知手段の信号に基づいて所定時間、前記浴槽の水の循環流量を大流量とした後、前記浴槽の水の循環流量を小流量にすると共に前記殺菌手段を動作させる殺菌制御手段を備えた請求項２又は３記載の水浄化装置。
【発明の詳細な説明】
【０００１】
【発明の属する技術分野】
本発明は、風呂水、プール用水、養殖用水等において水中に浮遊したり沈殿している懸濁物質とか乳濁物質や細菌などの水中分散物質を除去して水を浄化する業務用或いは家庭用の水浄化装置の技術に関するものである。
【０００２】
【従来の技術】
従来この種の水浄化装置は、図１８に示す様に、濾材に微生物を繁殖させ、微生物の分解力などにより浄化を行うものがある（例えば、特開平５−２９３４８５号公報）。図１８の水浄化装置は、水槽１と、水槽１内の被浄化水を循環させる循環ポンプ２と、三方弁３を有する戻り管４と、被浄化水を濾過する麦飯石などの濾材５を内部に有する濾過槽６と、被浄化水を加熱、保温するヒーター７と、被浄化水中に含まれる一般細菌を死滅させる殺菌装置８と、往き管９と、濾材５が目詰まりを起こした場合に、被浄化水を逆流させて洗浄する三方弁３と、逆洗路１０と、流路開閉弁１１と、逆洗汚水を排出する排出路１２と、排出制御弁１３とで構成された逆洗手段１４とで構成されている。
【０００３】
この構成において、循環ポンプ２が動作すると水槽１内の水は実線矢印で示した様に濾過槽６内の濾材５を通過して浄化され、またヒーター７によって所定温度に加熱保温されると共に殺菌装置８で一般細菌が殺菌され、浄化された水が水槽１に戻る。循環ポンプ２によって、この動作を繰り返すことにより、浴槽１内の水は除々に浄化殺菌されることになる。
【０００４】
【発明が解決しようとする課題】
しかしながら、上記の構成の水浄化装置では、下記のような問題があった。
【０００５】
（１）濾材５に除去性能として分解力のある微生物が繁殖するまでには時間がかかり、最初に前記構成の水浄化装置を使うときは、十分な浄化効果を得られない（１週間〜１０日程度）。
【０００６】
（２）濾材に繁殖した微生物を死滅させず、活性を一定に保つには、常時所定の水温に維持する必要があり保温エネルギーが必要となる。
【０００７】
（３）一旦濾材５を逆洗などにより洗浄すると、水中または水面に浮遊したり沈殿している懸濁物質や乳濁物質等の分散物質の除去性能、分散物質中の有機物質の分解活性が得られるまでに時間がかかる。
【０００８】
（４）入浴剤を水に混入した場合や、水質が悪い場所においては、水中の微生物が死滅したり、活性が低下することがある。
【０００９】
（５）これらの問題を解決するものとして水中の分散物質を浄化する微生物を用いる事なく物理的、化学的な働きで水中の分散物質を固液分離し浄化する手段があるが、この方式では濾過槽内に設けられた濾材の間に形成される間隙径以上の大きさの粒子は除去できるが、その間隙径未満の粒子は除去できず、かつ水中の分散物質の最小径にあった濾材のみで浄化を行うと、その最小径以上のすべての分散物質をとどめるためすぐに目詰まりを起こし、浄化を行える時間が短くなるという問題があった。
【００１０】
本発明は、上記問題を解決することを課題とし、水浄化装置の設置時からその浄化効果が大きく、濾材の目詰まりを起こしにくく、従って基本浄化能力を長く維持できることを課題としたものである。
【００１１】
【課題を解決するための手段】
前記課題を解決するために請求項１記載に係る発明は浴槽と浴槽の水を濾過する濾材間の間隙径の大きい第一濾過手段と、前記第一濾過手段で濾過した浴槽の水を濾過する濾材間の間隙径の小さい第二濾過手段と、前記浴槽の水を前記第一濾過手段と第二濾過手段に送り、浴槽に戻す循環手段と、前記循環手段と浴槽の間に配管された循環回路とを有し、前記第一濾過手段を通らないバイパス手段と、浴槽内への入浴を検知する入浴検知手段と、入浴検知手段の信号により入浴から所定時間は第一濾過手段と第二濾過手段により浴槽の水の濾過を行い、前記所定時間経過後は前記バイパス手段により第二濾過手段による前記浴槽の水の濾過を行う濾過制御手段を設けたものである。
【００１２】
また請求項２記載に係る発明は、循環手段による浴槽の水の循環流量を可変する循環流量可変手段と、前記入浴検知手段の信号に基づいて所定時間、前記浴槽の水の循環流量を大流量とした後、前記浴槽の水の循環流量を小流量に前記循環流量可変手段を制御する循環流量制御手段を設けたものである。
【００１３】
また請求項３記載に係る発明は、浴槽の水の懸濁するかまたは乳濁する分散物質を凝集して径の大きい塊とする凝集手段と、前記浴槽の水を循環させる循環手段と、前記循環手段と浴槽の間に配管された循環回路と、前記浴槽内への入浴を検知する入浴検知手段と、前記循環手段による浴槽水の循環流量を可変する循環流量可変手段と、前記入浴検知手段の信号に基づいて所定時間、前記浴槽の水の循環流量を大流量とした後、前記浴槽の水の循環流量を小流量にすると共に前記凝集手段を動作させる凝集制御手段を設けたものである。
【００１４】
また請求項４記載に係る発明は、浴槽の水のなかの細菌を殺菌する殺菌手段と、前記浴槽の水を循環させる循環手段と、前記循環手段と前記浴槽の間に配管された循環回路と、前記浴槽内への入浴を検知する入浴検知手段と、前記循環手段による前記浴槽の水の循環流量を可変する循環流量可変手段と、前記入浴検知手段の信号に基づいて所定時間、前記浴槽の水の循環流量を大流量とした後、前記浴槽の水の循環流量を小流量にすると共に前記殺菌手段を動作させる殺菌制御手段とを設けたものである。
【００１５】
【発明の実施の形態】
請求項１記載に係る発明は上記した手段により、濾過運転時において、浴槽の水の分散物質は、第一濾過手段で濾材によって濾過され、その濾材の間隙径よりも小さい径の分散物質は、濾材に衝突しながら、濾材を通過するが、それが水槽の水の圧力損失になる。したがって第一、第二濾過手段での所定時間における濾過運転の後、浴槽の水をバイパス手段により第一濾過手段に流さないで第二濾過手段に流し、第一濾過手段による圧力損失をなくし、ポンプの負荷を軽減させる。
【００１６】
請求項２記載に係る発明は上記した手段により、濾過運転時において、循環流量を小流量で濾過運転を行うことで、浴槽の水中の分散物質に作用する水圧が低くなり、分散物質が濾材の間隙にとどまりやすくなる。また循環流量を少なくするということは循環手段の出力を少なくすることであり、入力も少なくすることである。したがって循環手段への通電量が少なくなり、ランニグコストを低減する。
【００１７】
請求項３記載に係る発明は上記した手段により、濾過運転時において、循環流量を小流量で濾過運転を行うことで、浴槽中の分散物質にかかる水圧が低くなり、凝集手段にって凝集されて大きな塊を形成した分散物質は、水圧によって分離される事なく安定して塊を維持でき、よって濾過能力を高めるものである。
【００１８】
請求項４記載に係る発明は上記した手段により、濾過運転時において、循環流量を小流量で濾過運転を行うことで、殺菌手段を通過する時間を、循環流量が大流量である場合と比べて長くすることにより殺菌能力を高める。
【００１９】
以下各請求項に記載する発明の作用を発揮するように実施することで各請求項記載に係る水浄化装置を容易に実現できるものである。以下にその具体的な実施例を述べる。
【００２０】
（実施の形態１）
以下、本発明における実施の形態１について添付の図１、図２、図３に基づいて説明する。図１、図２において１５は浴槽であり、浴槽１５からは戻り管１６が循環手段である循環ポンプ１７の吸い込み側１８へ接続されている。循環ポンプ１７の吐出側１９からは第一濾過手段２０、第二濾過手段２１を介して往き管２２が浴槽１５に接続される様に設けられている。循環回路２３は戻り管１６と往き管２２から構成されている。また第一濾過手段２０は間隙径ａの大きい粒状濾材２４を有しており、また第二濾過手段２１は図３に示すように間隙径ｄの小さい粒状濾材２５を有している。図２は第一濾過手段２０内における粒状濾材２４と浴槽の水中の分散物質との関係を表したものであり、粒状濾材２４の間隙径はａであり、例えば人間のアカなどである分散物質２６の最大直径はｂであり、例えば一般細菌や微粒子などである分散物質２７の最大直径はｃである、それぞれの関係はｂ＞ａ＞ｃとなる。図３も第二濾過手段２１内における、粒状濾材と浴槽水中の分散物質との関係を表したものであり、粒状濾材２５の間隙径はｄであり、例えば一般細菌や微粒子などである分散物質２７の最大直径はｃであり、それぞれの関係はｃ＞ｄである。
【００２１】
次に動作について説明する。図１より、循環ポンプ１７が動作すると浴槽１５の水は戻り管１６、循環ポンプ１７を介して第一濾過手段２０に流入する。流入した浴槽１５の水中における分散物質は、図２に示すように、粒状濾材２４によって除去されるが、分散物質２７は粒状濾材２４の間隙径ａを通過して流れ出る。図１より第一濾過手段２０を通過した分散物質は浴槽１５の水と共に、第二濾過手段２１に流入する。図３に示すように、第二濾過手段２１に流入した分散物質２７は粒状濾材２５によって除去される。よって浴槽１５の水中分散物質は二段階に分割して濾過され、分散物質を濾過により除去された後の浴槽１５の水は、往き管２２を通って浴槽１５に流れる。
【００２２】
（実施の形態２）
次に実施の形態２について添付の図４、図５、図６に基づいて説明する。図４において構成要素１５から２５は図１と同じである。凝集手段２８は第二濾過手段２１の上流側であってかつ第二濾過手段２１内部に設けられ、微細な分散物質同士を吸着させて大型化させるものであり、金属イオンを溶出するアルミニウムからなる陽極２９と、この陽極２９に対向配置されたステンレス製の陰極３０（ここでは、第二濾過手段２１の管体を陰極として兼用している）と、陽極２９と陰極３０の間に電圧を印可する定電流電源３１から構成されている。図５は第一濾過手段２０内における、粒状濾材と浴槽の水中の分散物質との関係を表したものであり、粒状濾材２４、分散物質２６、２７は図２と同じであり、例えば一般細菌や微粒子などである分散物質３２の最大直径はｅである。粒状濾材２４、分散物質２６、２７、３２の関係は、ｂ＞ａ＞ｃ＞ｅとなる。図６は第二濾過手段２１内において、分散物質が凝集される様子を表したものであり、粒状濾材２５と、分散物質２７の関係は図３に示すと同じであり、粒子濾材２５と分散物質３２の関係は図５に示すと同じである。３３は水酸化アルミニウムによる凝集ポリマーである。
【００２３】
次に実施の形態２における動作を説明する。図４より、循環ポンプ１７が動作すると浴槽１５の水は戻り管１６、循環ポンプ１７を介して第一濾過手段２０に流入する。流入した浴槽１５の水中における分散物質は、図５に示すように、分散物質２６が、粒状濾材２４によって阻止されるが、分散物質２７、分散物質３２は粒状濾材２４の間隙径ａを通過して流れ出る。図４より第一濾過手段２０を通過した分散物質は浴槽１５の水と共に、第二濾過手段２１に流入し、凝集手段２８の電極間を通過する。このとき定電流電源３１により、陽極２９と陰極３０に通電するとイオン化傾向の高いアルミニウムイオンが溶出して水と反応し、水酸化アルミニウムのコロイドすなわち凝集ポリマーが生成される。図６により第二濾過手段２１に流入した分散物質２７は粒状濾材２５によって阻止して除去される。また粒状濾材２５の間隙径ｄよりも小さい、負電荷に帯電している分散物質３２は、正電荷に帯電している凝集ポリマー３３が結着媒体となり、より大型の分散物質の塊となり、粒状濾材２５によって阻止されることが可能となり、より高い浄化能力が得られる。濾過により分散物質を除去した後の浴槽１５の水は、往き管２２を通って浴槽１５内に流れる。
【００２４】
（実施の形態３）
次に実施の形態３について添付の図５、図７、図８に基づいて説明する。図７において構成要素１５から２５は図４と同じである。入浴検知手段３４はサーミスタで構成され、人の入浴による水温の変化を検知するものであり、バイパス配管３５は第一濾過手段２０をバイパスするものであり、バイパス配管３５と三方弁３６でバイパス手段３７は構成されており、三方弁３６によって、往き管３８は、往き管３９とバイパス配管３５に切り替えられる。濾過制御手段４０は入浴検知手段３４からの信号を基に、三方弁３６を切り替えるものである。また図８は濾過制御手段４０の動作を流れ図で示したものである。
【００２５】
次に実施の形態３の動作を説明する。図７より、循環ポンプ１７が動作すると浴槽１５の水は戻り管１６、循環ポンプ１７、往き管３９を介して第一濾過手段２０に流入する。流入した浴槽１５の水中における分散物質は、図５に示すように、分散物質２６が、粒状濾材２４によって阻止されるが、分散物質２７、分散物質３２は粒状濾材２４に衝突しながら、粒状濾材２４の間隙径ａを通過して流れ出る。図７より第一濾過手段２０を通過した分散物質は浴槽１５の水と共に、第二濾過手段２１に流入する。図３に示すように粒状濾材２５で分散物質を阻止して除去した後の水は、往き管２２を通って浴槽１５に流れる。この状態において人が入浴すると、入浴検知手段３４が検知して、その検知信号を濾過制御手段４０に送る。図８において、濾過制御手段４０が入浴検知手段３４からの信号を受信すると、図５における分散物質２６が阻止される所定時間Ａまで、図７の浴槽１５の水が往き管３８から往き管３９に流れるように三方弁３６を開成する。所定時間がＡになると三方弁３６を往き管３９からバイパス配管３５に切り替える。この切り替えによって、循環ポンプ１７から吐出された浴槽１５の水は、第一濾過手段２０をバイパスして第二濾過手段２１のみに流れ、第一濾過手段２０の圧力損失がなくなり、循環ポンプへの付加が軽減される。
【００２６】
（実施の形態４）
次に実施の形態４について添付の図５、図９、図１０、図１１に基づいて説明する。図９において構成要素１５から２０、２２から２４、３４は図７と同じである。循環流量可変手段４１は循環ポンプ１７への印可電圧を変化させることで循環ポンプ１７の動作を制御するものであり循環流量制御手段４２は入浴検知手段３４の信号を基に循環流量可変手段４１の動作を制御するものである。図１０は循環流量が小流量の時の粒状濾材と分散物質の関係を表したものである。また図１１は循環流量制御手段４１の制御動作を流れ図で表したものである。
【００２７】
次に実施の形態４についてその動作を説明する。図９より、循環ポンプ１７が動作すると浴槽１５の水は戻り管１６、循環ポンプ１７を介して第一濾過手段２０に流入する。流入した浴槽１５の水中における分散物質は、図５に示すように、分散物質２６が、粒状濾材２４によって阻止されるが、分散物質２７、分散物質３２は粒状濾材２４の間隙径ａを通過して流れ出る。図９より第一濾過手段２０を通過した分散物質は浴槽１５の水と共に、往き管２２を通って浴槽１５に流れる。この状態において人が入浴すると、入浴検知手段３４が検知して、その検知信号を循環流量制御手段４２に送る。図１１において、循環流量制御手段４２が入浴検知手段３４からの信号を受信すると、図５に示すように分散物質２６を阻止して、完全に濾過しきるために、循環流量を多くするよう循環ポンプ１７への印加電圧を大きくし、分散物質２６を含む水が濾過し切れる所定時間Ｂが過ぎると、循環ポンプ１７への印可電圧を小さくする様に循環流量可変手段４１を制御し、循環流量を少なくして濾過運転を行う。図１０より循環流量が少なくなると分散物質２７、分散物質３２への水圧が低くなり、分散物質２７、分散物質３２が粒状濾材２４にとどまりやすくなり、粒状濾材２４での分散物質２７、分散物質３２の阻止が可能になる。
【００２８】
（実施の形態５）
次に実施の形態５について添付の図５、図１２、図１３、図１４に基づいて説明する。図１２において構成要素１５から２０、２２から２４、３４、４１は図９と同じであり、構成要素２８から３１は図４と同じである。凝集制御手段４３は、入浴検知手段３４の信号を基に循環流量可変手段４１と定電流電源３１の動作を制御するものである。図１３は循環流量が小流量の時の分散物質が凝集している様子を表したものであり、構成要素２４、２６、２７、３２は図１０と同じであり、構成要素３３は図６と同じである。また図１４は凝集制御手段４３の制御動作を流れ図で表したものである。
【００２９】
次に実施の形態５における動作を説明する。図１２より、循環ポンプ１７が動作すると浴槽１５の水は戻り管１６、循環ポンプ１７を介して第一濾過手段２０に流入する。流入した浴槽１５の水中における分散物質は、図５に示すように分散物質２６が、粒状濾材２４によって阻止されるが、分散物質２７、分散物質３２は粒状濾材２４の間隙径ａを通過して流れ出る。図９より第一濾過手段２０を通過した分散物質は浴槽１５の水と共に、往き管２２を通って浴槽１５に流れる。この状態において人が入浴すると、入浴検知手段３４が検知して、その検知信号を凝集制御手段４３に送る。図１４において、凝集制御手段４３が入浴検知手段からの信号を受信すると、図５に示すように分散物質２６を除去しきるために、循環流量を多くするよう循環ポンプ１７への印加電圧を大きくし、分散物質２６を含む水が濾過し切る所定時間Ｂが過ぎると、循環ポンプ１７への印可電圧を小さくするように循環流量可変手段４１を制御し、循環流量を少なくする、それと同時に定電流電源３１を起動させる。図１３より循環流量が少なくなると分散物質２７、分散物質３２に作用する水圧が低くなり分散物質２７、分散物質３２が粒状濾材２４にとどまりやすくなると同時に、凝集によって形成した分散物質２７と分散物質３２の塊が水圧が低いことで分離されることがなくなり、安定して塊を形成、維持することができる。これにより粒状濾材２４での分散物質２７、分散物質３２の阻止がより一層確実になる。
【００３０】
（実施の形態６）
次に実施の形態を６について添付の図５、図１５、図１６、図１７に基づいて説明する。図１５において構成要素１５から２０、２２から２４、３４、４１は図１２と同じ構成である。殺菌制御手段４４は、入浴検知手段３４の信号を基に循環流量可変手段４１の動作を制御し、かつ殺菌手段４５の発停を制御するものである。殺菌手段４５は紫外線ランプを内部に有する管体で構成されている。図１６は殺菌手段４５の内部を流れる一般細菌や、微粒子の様子を表したものである。構成要素２７、３２は図１０と同じものであり、４６は紫外線ランプであり、４７は管体である。また図１７は殺菌制御手段４４が循環流量可変手段４１と殺菌手段４５を制御する様子を流れ図で表したものである。
【００３１】
次に、実施の形態６における動作を説明する。図１５より、循環手段１７が動作すると浴槽１５の水は戻り管１６、循環手段１７を介して第一濾過手段２０に流入する。第一濾過手段２０に流入した浴槽水の分散物質は、図５に示すように分散物質２６が粒状濾材２４によりとどまり、分散物質２７、分散物質３２は間隙径ａを通過して、第一濾過手段２０から流出する。分散物質２７、分散物質３２を含んだ浴槽１５の水は往き管２２、殺菌手段４５を介して浴槽１５に戻る。この状態のもとで人が入浴すると、入浴検知手段３４が入浴を検知して、検知信号を殺菌制御手段４４に送信する。図１７より殺菌制御手段４４が入浴検知手段３４からの検知信号を受信すると、図５に示すように分散物質２６をとどめて濾過しきるために、循環流量を多くするよう循環ポンプ１７への印加電圧を大きくし、分散物質２６を含む水が濾過し切る所定時間Ｂが過ぎると、循環ポンプ１７への印可電圧を小さくし、循環流量を少なくする様に循環流量可変手段４１を制御すると共に殺菌手段４５を動作させる。図１６において、浴槽１５の水の循環流量が多い、すなわち、流速が早くなると、分散物質２７、分散物質３２は早く殺菌手段４５を通過してしまい、紫外線ランプ４６の紫外線を照射される時間が短くなる、しかし循環流量を少なくして、流速を遅くすることで分散物質２７、分散物質３２が殺菌手段４５を通過する時間が長くなり、長く紫外線ランプ４６からの紫外線を照射されることで殺菌効果が高められる。
【００３２】
【発明の効果】
以上の説明から明らかなように本発明の水浄化装置によれば、次のような効果が得られる。
【００３３】
請求項１記載に係る発明によれば、分散物質を濾材間の間隙径が異なる二つの濾過槽で濾過することにより、分散物質による濾材の目詰まりが起きる迄の時間を長くすることが可能となり、基本浄化能力を長く維持できる。また、浴槽の水を第一濾過手段に流さないで濾過運転を行うことで、分散物質が濾材に衝突することでおきる第一濾過手段の圧力損失をなくし、ポンプの負荷を低減する。
【００３４】
請求項２記載に係る発明によれば、循環流量を小流量にして濾過運転を行うことで分散物質が濾材の間隙にとどまりやすくなり濾過能力が高まり、また循環手段への入力も少なくなるこでランニングコストが低減できる。
【００３５】
請求項３記載に係る発明によれば、濾過運転時において、小流量で凝集を行うことで、凝集して形成した塊は、分離されることが少なく、安定して塊を形成でき、さらに濾過能力を高める。
【００３６】
請求項４記載に係る発明によれば、濾過運転時において、小流量で殺菌を行うことで、分散物質の一つである一般細菌が殺菌手段を通過する速度が遅くなり、殺菌効果を受ける時間が長くなることで、殺菌効果を高める。
【図面の簡単な説明】
【図１】本発明の実施の形態１における水浄化装置のシステム構成図
【図２】本発明の実施の形態１における、懸濁物質が濾過される様子を表した図
【図３】本発明の実施の形態１における、懸濁物質が濾過される様子を表した図
【図４】本発明の実施の形態２における水浄化装置のシステム構成図
【図５】本発明の実施の形態２における、懸濁物質が濾過される様子を表した図
【図６】本発明の実施の形態２における、懸濁物質が凝集される様子を表した図
【図７】本発明の実施の形態３における水浄化装置のシステム構成図
【図８】本発明の実施の形態４における、濾過制御手段の動作の流れ図
【図９】本発明の実施の形態４における水浄化装置のシステム構成図
【図１０】本発明の実施の形態４における、分散物質が濾過される様子を表した説明図
【図１１】本発明の実施の形態４における、循環流量制御手段の動作の流れ図
【図１２】本発明の実施の形態５における水浄化装置のシステム構成図
【図１３】本発明の実施の形態５における、分散物質が凝集される様子を表した説明図
【図１４】本発明の実施の形態５における、凝集制御手段の動作の流れ図
【図１５】本発明の実施の形態６における水浄化装置のシステム構成図
【図１６】本発明の実施の形態６における、分散物質が殺菌される様子を表した説明図
【図１７】本発明の実施の形態６における殺菌制御手段の動作の流れ図
【図１８】従来の水浄化装置のシスム構成図
【符号の説明】
１５  水槽水（浴槽）
１７  循環手段
２０  第一濾過手段
２１  第二濾過手段
２３  循環回路
２４、２５  粒状濾材
２６、２７、３２  分散物質
２８  凝集手段
３１  定電流電源
３４  入浴検知手段
３５  バイパス配管
４０  濾過制御手段
４１  循環流量可変手段
４２  循環流量制御手段
４３    凝集制御手段
４５  殺菌手段
【図１】
0003605910.tif 000002
【図２】
0003605910.tif 000003
【図３】
0003605910.tif 000004
【図４】
0003605910.tif 000005
【図５】
0003605910.tif 000006
【図６】
0003605910.tif 000007
【図７】
0003605910.tif 000008
【図８】
0003605910.tif 000009
【図９】
0003605910.tif 000010
【図１０】
0003605910.tif 000011
【図１１】
0003605910.tif 000012
【図１２】
0003605910.tif 000013
【図１３】
0003605910.tif 000014
【図１４】
0003605910.tif 000015
【図１５】
0003605910.tif 000016
【図１６】
0003605910.tif 000017
【図１７】
0003605910.tif 000018
【図１８】
0003605910.tif 000019